(57)【要約】【課題】  隣接配置した下枠と床材とを接続するために別体の樹脂製の接続部材を配設した場合に良好な収まりを確保できる開口部の構造を提供する。【解決手段】  接続部材６の垂直片部６ａの屋内側面に屋内側に突出する突条部８を接続部材６の他の部位よりも柔らかい軟質樹脂で形成する。下枠３の屋内側端部と床材５の屋外側端部との隙間４に接続部材６の垂直片部６ａを挿入したときに、上記突条部８を床材５の屋外側端部の端面に弾接し、この弾性反力で接続部材６の垂直片部６ａを下枠３の屋内側端部に押圧する。【選択図】        図１
2006125048.tif 000002
【特許請求の範囲】
【請求項１】
建物の掃き出し窓用の開口部に掃き出し窓を取付ける開口枠を配設し、この開口枠の下枠の屋内側端部に隙間を介して床材の屋外側端部を配置し、垂直片部の上端から屋内側に横片部を突設した長尺の接続部材を樹脂にて形成し、上記隙間に接続部材の垂直片部を上方から挿入して接続部材の横片部を床材の屋外側端部に上方から被せ、ビス等の固定具を横片部の上方から床材に打入したことで接続部材を取付けてなる開口部の構造であって、接続部材の垂直片部の屋内側面に屋内側に突出する突条部を接続部材の他の部位よりも柔らかい軟質樹脂で形成し、下枠の屋内側端部と床材の屋外側端部との隙間に接続部材の垂直片部を挿入したときに、上記突条部を床材の屋外側端部の端面に弾接し、この弾性反力で接続部材の垂直片部を下枠の屋内側端部に押圧したことを特徴とする開口部の構造。
【請求項２】
金属製の下枠を屋内側部材と屋外側部材とに分割して屋内側部材と屋外側部材とを断熱材を介して連結し、この下枠の上面に断熱性を有する樹脂カバーを被着したことを特徴とする請求項１記載の開口部の構造。
【発明の詳細な説明】
【技術分野】
【０００１】
本発明は、開口部の構造に関し、詳しくは掃出し窓用サッシと床材との収まり構造に関するものである。
【背景技術】
【０００２】
従来から、建物の掃出し可能な開口部１では、図４のように、掃出し窓用の下枠３の屋内側端部と床材５の屋外側端部とが接続されている。詳しくは、掃出し窓用の下枠３の屋内側端部には垂直壁３１の上端から屋内側に連結横片３２を突出してなる接続部３０が形成され、下枠３の接続部３０に床材５の屋外側端部を接続するには、連結横片３２の下方にもぐり込ませるように床材５の屋外側端部を突き合わせるように配置し、床材５の屋外側端部の上面に積層した連結横片３２の上方からビスのような固定具７を床材５に打入することで行われている（たとえば特許文献１参照）。
【０００３】
ところで近年では、人が頻繁に通る掃き出し可能な開口部１には段差のないバリアフリー構造を採用するのが一般的であるが、上記開口部の構造でバリアフリー構造を得ようとする場合には、下枠３の接続部３０に床材５の屋外側端部を接続する際に、あらかじめ配設した下枠３の連結横片３２の下方にもぐり込ませるように床材５の屋外側端部を挿入配置する施工作業が行い難いといった問題があった。すなわち、床材５と下枠３との間にバリアフリー構造を得るためには、下枠３の連結横片３２の下方空間３３は床材５の屋外側端部の厚み寸法と略同厚寸法とされるのであり、下枠３と床材５との配置位置に関して両者間の上下方向の位置決めを厳密に行わない限り、下枠３と床材５との良好な収まりの接続構造を得ることができないのである。
【０００４】
しかして、本発明者は本願に至る前に、下枠３の屋内側端部に上記接続部３０を一体に形成せず、この下枠３の屋内側端部に隙間を介して床材５の屋外側端部を隣接配置し、上記接続部３０の代わりに下枠３とは別体の垂直片部の上端から屋内側に横片部を突設させた長尺の接続部材を用い、下枠３と床材５との隙間に接続部材の垂直片部を上方から挿入して接続部材の横片部で床材５の屋外側端部を被せるようにして接続部材を配置し、接続部材の横片部の上方から下枠３に向けて固定具７を打入するといった、上記の下枠３の連結横片３２の下方空間３３に床材５を挿入配置する施工作業を回避できて下枠３と床材５との接続施工を良好な施工作業で行わせ得る構造を想起した。
【０００５】
ここで、開口部１で結露水が発生すると開口部１を通る人の足裏に冷たい結露水が付着して不快感を与えてしまうため、上記開口部の構造において結露水発生の防止を図って断熱性能の高い樹脂で長尺の上記接続部材を成形した場合には、成形精度の問題で長尺の接続部材が寸法誤差を含んで成形される場合もあり、また下枠３の屋内側端部と床材５の屋外側端部との間にできる隙間が一定隙間幅を有するように形成されない場合もあり、しかして長尺な接続部材が屋内外方向に撓んだ状態で床材５に取付けられて開口部１の幅方向の一部に隙間が露出したりする恐れがあり、開口部１の良好な収まりが確保できなくて採用できるものではなかった。
【特許文献１】特開平９−１３８０６号公報
【発明の開示】
【発明が解決しようとする課題】
【０００６】
本発明は上記の従来の問題点に鑑みて発明したものであって、隣接配置した下枠と床材とを接続するために別体の樹脂製の接続部材を配設した場合に良好な収まりを確保できる開口部の構造を提供することを課題とするものである。
【課題を解決するための手段】
【０００７】
上記課題を解決するために本発明の請求項１に係る開口部の構造にあっては、建物の掃き出し窓用の開口部１に掃き出し窓２を取付ける開口枠を配設し、この開口枠の下枠３の屋内側端部に隙間４を介して床材５の屋外側端部を配置し、垂直片部６ａの上端から屋内側に横片部６ｂを突設した長尺の接続部材６を樹脂にて形成し、上記隙間４に接続部材６の垂直片部６ａを上方から挿入して接続部材６の横片部６ｂを床材５の屋外側端部に上方から被せ、ビス等の固定具７を横片部６ｂの上方から床材５に打入したことで接続部材６を取付けてなる開口部の構造であって、接続部材６の垂直片部６ａの屋内側面に屋内側に突出する突条部８を接続部材６の他の部位よりも柔らかい軟質樹脂で形成し、下枠３の屋内側端部と床材５の屋外側端部との隙間４に接続部材６の垂直片部６ａを挿入したときに、上記突条部８を床材５の屋外側端部の端面に弾接し、この弾性反力で接続部材６の垂直片部６ａを下枠３の屋内側端部に押圧したことを特徴とする。これによると、樹脂製の長尺の接続部材６の垂直片部６ａを床材５と下枠３との隙間４に挿入する際には、接続部材６の他の部位よりも柔らかい軟質樹脂で形成した突条部８を床材５に弾接させてこの弾性反力にて接続部材６の垂直片部６ａを下枠３の屋内側端部に押圧させることができ、つまり弾性変形のほとんどを突条部８で行わせつつ隙間４を開口部１に露出させないように接続部材６の垂直片部６ａを床材５と下枠３との隙間４に確実に圧入できるのであり、しかして成形精度の問題で長尺の接続部材６が寸法誤差を含んで成形されたり、下枠３の屋内側端部と床材５の屋外側端部との間にできる隙間４が一定隙間幅を有さないように形成された場合でも、下枠３と床材５とを接続部材６で確実に収まり良く接続させることができる。
【０００８】
また、請求項２に係る開口部の構造にあっては、請求項１において、金属製の下枠３を屋内側部材３ａと屋外側部材３ｂとに分割して屋内側部材３ａと屋外側部材３ｂとを断熱材１０を介して連結し、この下枠３の上面に断熱性を有する樹脂カバー９を被着したことを特徴とする。これによると、屋内側部材３ａと屋外側部材３ｂとの間に配設した断熱材１０によって屋内側部材３ａと屋外側部材３ｂとの熱橋を防止できて下枠３の断熱性能を向上できるのであり、また、下枠３の上面に被着した断熱性を有する樹脂カバー９によると、室内暖気の下枠３への接触を防止して結露防止を図ったり、たとえ下枠３で結露水が発生してもこの結露水が開口部１に露出するのを防止できる。
【発明の効果】
【０００９】
本発明の請求項１の発明では、接続部材の垂直片部の屋内側面に屋内側に突出する突条部を接続部材の他の部位よりも柔らかい軟質樹脂で形成し、下枠の屋内側端部と床材の屋外側端部との隙間に接続部材の垂直片部を挿入したときに、上記突条部を床材の屋外側端部の端面に弾接し、この弾性反力で接続部材の垂直片部を下枠の屋内側端部に押圧したので、樹脂製の長尺の接続部材の垂直片部を床材と下枠との隙間に挿入する際には、弾性変形のほとんどを突条部で行わせるようにして隙間を開口部に露出させないように接続部材の垂直片部を床材と下枠との隙間に確実に圧入できるのであって、下枠と床材とを接続部材で確実に収まり良く接続させることができるという利点を有する。
【００１０】
また、請求項２の発明では、請求項１の効果に加えて、金属製の下枠を屋内側部材と屋外側部材とに分割して屋内側部材と屋外側部材とを断熱材を介して連結したので、屋内側部材と屋外側部材との間に配設した断熱材によって屋内側部材と屋外側部材との熱橋を防止できて下枠の断熱性能を向上できる利点を有し、下枠の上面に断熱性を有する樹脂カバーを被着したので、室内空気の下枠への接触を防止して結露防止を図ったり、たとえ下枠で結露水が発生してもこの結露水が開口部に露出するのを防止できて開口部を通る人に冷たい結露水の付着による不快感を感じさせることを無くすることができるという利点を有する。
【発明を実施するための最良の形態】
【００１１】
以下、本発明を添付図面に示す実施形態に基いて説明する。
【００１２】
図１のように、建物の外壁には室内外を連通する掃き出し窓用の開口部１が形成されている。開口部１には掃き出し窓２を装着させる開口枠が取付けられている。本例では、開口枠は上枠、下枠３及び一対の縦枠を矩形枠状に組み合わせて形成され、掃き出し窓２は一対の閉塞部材２ａで構成され、上枠及び下枠３に設けた一対のレール部１１に各々閉塞部材２ａが開口部１の幅方向にスライド自在に取り付けられ、この一対の閉塞部材２ａのスライドによって開口部１が開閉可能にされている。詳しくは、閉塞部材２ａは上部に設けたローラが上枠のレール部１１に転動されつつ吊持されると共に、閉塞部材２ａの下端に設けたローラ１２を下枠３に立ち上がるように設けた垂直片状のレール部１１に転動可能に載設されている。なお、開口枠には網戸２ｂもスライド自在に取付けられ、この網戸２ｂは下端に配設したローラ２２を下枠３に設けたレール部１１に転動可能に載設されている。ところで、本発明は開口枠の下枠３と床材５とを良好な収まりを確保して連結させたことに特徴を有するものであるから、図面は下枠３付近を示すにとどめている。
【００１３】
なお、本例の下枠３は、金属製の押出成形材であって、屋内側部材３ａと屋外側部材３ｂとに分割され、この屋内側部材３ａと屋外側部材３ｂを断熱材１０を介して連結して形成され、屋外側部材３ｂと屋内側部材３ａとの間での熱橋形成が防止された構造にされている。詳しくは、屋外側部材３ｂの屋内側端部と屋内側部材３ａの屋外側端部とにはそれぞれ対向するコ字状の断熱材保持溝１３が下枠３の長手方向（開口部１の幅方向）に亙って形成され、この断熱材保持溝１３に下枠３の長手方向に長尺な断熱材１０を嵌合させることで、断熱材１０によって屋外側部材３ｂと屋内側部材３ａとが連結されるようにされている。つまり、この断熱材１０によると、外気に触れる屋外側部材３ｂが屋内側部材３ａを冷却することを抑制し、開口部１の室内側に位置する下枠３の屋内側部材３ａでの結露発生の抑制が図られている。
【００１４】
ここで、建物には下階の外壁パネルや基礎１４などの上面に横片１５ａの屋外側端部から縦片１５ｂを立ち上げてなる断面Ｌ字状の梁材１５が載設され、この梁材１５の屋外側に下枠用下地材１６を縦片１５ｂに上方から引掛け固定させて配置し、この下枠用下地材１６に下枠３を載置してビス等の固定具１７を打入して固定させるのであるが、本例では下枠３の屋内側部材３ａと屋外側部材３ｂとをそれぞれ下枠用下地材１６に固定させている。すなわち、下枠３の屋内側部材３ａの屋内側下端から屋内側で且つ斜め下方に突設させた横取付片３ａ１を下枠用下地材１６の上面側に沿設して屋内側斜め上方から固定具１７ａを横取付片３ａ１を介して下枠用下地材１６に打入したことで下枠３の屋内側部材３ａを下枠用下地材１６に固定させており、また下枠３の屋外側部材３ｂから下方に垂設させた縦取付片３ｂ１を下枠用下地材１６の屋外側に沿設して屋外側から固定具１７ｂを縦取付片３ｂ１を介して下枠用下地材１６に打入したことで下枠３の屋外側部材３ｂを下枠用下地材１６に固定させている。なお、下枠３に設ける複数のレール部１１は本例では屋外側部材３ｂの上面にのみ形成されている。すなわち、外気に触れる閉塞部材２ａや網戸２ｂにて下枠３がレール部１１を介して冷却されても屋外側部材３ｂのみが冷却されるようにされている。
【００１５】
また、断面Ｌ字状の梁材１５の横片１５ａ上や下枠用下地材１６の屋内側端部上には木桟状の床用下地材１８がそれぞれ載設され、これら床用下地材１８の上に平板状の床材５の屋外側端部を渡すように載設したことで、床材５が配設される。この床材５はその屋外側端部と下枠３の屋内側端部との間に隙間４が形成されるように配設される。詳しくは、下枠３の屋内側端部には床材５の上面と略同高さにまで垂直上方に立ち上がる垂直片１９が形成され、この垂直片１９と垂直面状の床材５の屋外側端面とが対向配置されて隙間４が形成される。なお、この隙間４の隙間幅は少なくとも後述する接続部材６の垂直片部６ａの厚み寸法よりも幅広で垂直片部６ａと突条部８との厚み寸法よりも幅狭に形成される。
【００１６】
上述のように下枠３や床材５を配置した後には、図２のように、施工性良く且つ収まり良く下枠３と床材５とを接続させる接続部材６を配設する。ここで、接続部材６は、図３のように、接続する下枠３と床材５との間の断熱材として機能するように下枠３の長手方向（開口部１の幅方向）に長尺の樹脂製の押出し成形品で形成され、詳しくは垂直片部６ａの上端から屋内側に横片部６ｂを突設させてなる断面逆Ｌ字状の枠材であって、垂直片部６ａの屋内側面には屋内側に突出した突条部８が下枠３の長手方向に亙って形成されている。突条部８は接続部材６の他の部位よりも柔らかい軟質樹脂で形成されており、横片部６ｂにはビス等の固定具７を挿通させるザグリを備えた貫通孔２０が穿孔されている。いる。この接続部材６を配設するには、下枠３の屋内側端部と床材５の屋外側端部との隙間４に接続部材６の垂直片部６ａを挿入して接続部材６の横片部６ｂを床材５の屋外側端部に上方から被せ、ビス等の固定具７を横片部６ｂの上方から貫通孔２０を通して床材５に打入して床材５に接続部材６を固定することで行われる。ここで、本例の接続部材６にあって、下枠３の屋内側端部と床材５の屋外側端部との隙間４に接続部材６の垂直片部６ａを挿入する際には、接続部材６の他の部位よりも柔らかい軟質樹脂で形成した突条部８を床材５に弾接させてこの弾性反力にて接続部材６の垂直片部６ａを下枠３の屋内側端部に押圧させることができ、つまり弾性変形のほとんどを突条部８で行わせつつ隙間４を開口部１に露出させないように接続部材６の垂直片部６ａを床材５と下枠３との隙間４に確実に圧入できるようにされており、しかして成形精度の問題で長尺の接続部材６が寸法誤差を含んで成形されたり、下枠３の屋内側端部と床材５の屋外側端部との間にできる隙間４が一定隙間幅を有さないように形成された場合でも、下枠３と床材５とを接続部材６で確実に収まり良く接続させ得るようにされているのである。なお、施工性に関し、下枠３に接続部３０を一体に形成した図４の背景技術に例示した開口部の構造と比較すると、本例の開口部の構造は下枠３及び床材５の配設後に別体の接続部材６を配設して得られるものなので、上記従来技術の例の問題点であった下枠３の接続部３０の連結横片３２の下方空間３３に床材５をもぐり込ませるように配設する困難な施工作業を回避しており、施工性良く下枠３と床材５との接続を行うことができたものである。
【００１７】
なお、本例の下枠３の上面にあって、そのままでは室内空気に触れるような開口部１に露出する部位には、開口部１の幅方向に長尺な樹脂カバー９が被着されている。この樹脂カバー９によると、下枠３と室内空気とが接触しないようにして結露防止を図ることができたり、たとえ下枠３の表面で結露水が発生してもこの結露水を開口部１に臨ませないようにでき、開口部を通る人に冷たい結露水の付着による不快感を感じさせることを無くすることが図られている。具体的に、一対のレール部１１間の下枠３の上面部位や、室内側のレール部１１の根元から垂直片１９の上面までの下枠３の部位に、それぞれ樹脂カバー９が被着されている。詳しくは、これら樹脂カバー９は各々下枠３の形状に合わせて形成された主体部９ａと、この主体部９ａの屋内側部位及び屋外側部位からそれぞれ垂下した脚部９ｂとを有して形成されており、下枠３に形成した各係止突起２１にそれぞれの脚部９ｂを係止させることでそれぞれ下枠３にワンタッチで且つバランス良く取付可能にされている。ここで、本例では、接続部材６を配設するにあたり、床面５に載置する横片部６ｂの上面と、垂直片１９に被せた樹脂カバー９の上端面や下枠３の少なくとも閉塞部材２ａ用のレール部１１の上端面とが略面一になるようにされ、結果的に床面５と略段差のないバリアフリー構造が採用されている。
【図面の簡単な説明】
【００１８】
【図１】本発明の実施の形態の例を示す側断面図である。
【図２】同上の接続部材の取付けを説明する側断面図である。
【図３】同上の接続部材を示す斜視図である。
【図４】背景技術の例を示す側断面図である。
【符号の説明】
【００１９】
１  開口部
２  掃き出し窓
３  下枠
３ａ  屋内側部材
３ｂ  屋外側部材
４  隙間
５  床材
６  接続部材
６ａ  垂直片部
６ｂ  横片部
７  固定具
８  突条部
９  樹脂カバー
１０  断熱材
【図１】
2006125048.tif 000003
【図２】
2006125048.tif 000004
【図３】
2006125048.tif 000005
【図４】
2006125048.tif 000006